(57)【要約】【課題】ユーザのメッセージを効果的に演出できるメッセージ演出システム及びプログラムを提供すること。【解決手段】本発明の一態様は、表示部を備える第１壁面と、ミラー加工され、前記第１壁面の表示部に表示された映像の鏡像が映る少なくとも１以上の第２壁面とから構成される演出装置と、ユーザを識別する識別名称と前記ユーザのメッセージと関連付けて登録するメッセージ登録手段と、演出映像を前記表示部に表示し、前記演出映像の表示中に、前記識別名称及び前記メッセージを表示するメッセージ表示制御手段とを備えるメッセージ表示制御装置とを有するメッセージ演出システムである。【選択図】図１
2019003455.tif 000002
【特許請求の範囲】
【請求項１】
表示部を備える第１壁面と、ミラー加工され、前記第１壁面の表示部に表示された映像の鏡像が映る少なくとも１以上の第２壁面とから構成される演出装置と、
ユーザを識別する識別名称と前記ユーザのメッセージと関連付けて登録するメッセージ登録手段と、演出映像を前記表示部に表示し、前記演出映像の表示中に、前記識別名称及び前記メッセージを表示するメッセージ表示制御手段とを備えるメッセージ表示制御装置と
を有するメッセージ演出システム。
【請求項２】
ユーザの動画を撮影する撮影手段と、前記撮影手段で撮影される前記ユーザの撮影時の映像を表示する表示部とを有する撮影端末を備え、
メッセージ表示制御手段は、前記演出映像として、前記撮影端末で撮影したユーザの動画を表示する
請求項１に記載のメッセージ演出システム。
【請求項３】
前記撮影端末は、前記表示部に前記ユーザの体の一部を動かす速度、軌跡を示すガイド機能を表示する
請求項２に記載のメッセージ演出システム。
【請求項４】
ユーザの識別情報と、テレビ受信機の識別情報と、前記ユーザのメッセージと、前記メッセージが前記表示部に表示された映像が放送される放送時間とを関連付けるデータベースと、
データ放送を用いて、前記テレビ受信機の識別情報と、前記ユーザのメッセージと、前記放送時間を放送する放送部と
を有する請求項１から請求項３のいずれかに記載のメッセージ演出システム。
【請求項５】
表示部を備える第１壁面と、ミラー加工され、前記第１壁面の表示部に表示された映像の鏡像が映る少なくとも１以上の第２壁面とから構成される演出装置の前記表示部に表示される映像を制御するコンピュータのプログラムであって、
ユーザを識別する識別名称と前記ユーザのメッセージと関連付けて登録するメッセージ登録処理と、
前記演出映像を前記表示部に表示し、前記演出映像の表示中に、前記識別名称及び前記メッセージを表示するメッセージ表示制御処理と
をコンピュータに実行させるプログラム。
【発明の詳細な説明】
【技術分野】
【０００１】
本発明は、メッセージ演出システム及びプログラムに関する。
【背景技術】
【０００２】
ユーザのメッセージを演出に用い、ディスプレイ等やテレビに表示したりする技術がある。
【発明の概要】
【発明が解決しようとする課題】
【０００３】
しかし、その演出方法は、ありきたりものであり、ユーザのメッセージを幻想的に演出できる演出できるシステムはなかった。
【０００４】
そこで、本発明は、ユーザのメッセージを効果的に演出できるメッセージ演出システム及びプログラムを提供することにある。
【課題を解決するための手段】
【０００５】
本発明の一態様は、表示部を備える第１壁面と、ミラー加工され、前記第１壁面の表示部に表示された映像の鏡像が映る少なくとも１以上の第２壁面とから構成される演出装置と、ユーザを識別する識別名称と前記ユーザのメッセージと関連付けて登録するメッセージ登録手段と、演出映像を前記表示部に表示し、前記演出映像の表示中に、前記識別名称及び前記メッセージを表示するメッセージ表示制御手段とを備えるメッセージ表示制御装置とを有するメッセージ演出システムである。
【０００６】
本発明の一態様は、表示部を備える第１壁面と、ミラー加工され、前記第１壁面の表示部に表示された映像の鏡像が映る少なくとも１以上の第２壁面とから構成される演出装置の前記表示部に表示される映像を制御するコンピュータのプログラムであって、ユーザを識別する識別名称と前記ユーザのメッセージと関連付けて登録するメッセージ登録処理と、前記演出映像を前記表示部に表示し、前記演出映像の表示中に、前記識別名称及び前記メッセージを表示するメッセージ表示制御処理とをコンピュータに実行させるプログラムである。
【発明の効果】
【０００７】
本発明によれば、ユーザのメッセージを効果的に演出できる。
【図面の簡単な説明】
【０００８】
【図１】図１は本発明の第１の実施の形態におけるメッセージ演出システムの概略図である。
【図２】図２は第１壁面１０を示した図である。
【図３】図３はメッセージ表示制御装置２のブロック図である。
【図４】図４は端末に表示される動画撮影時のアシスト機能の一例を示す図である。
【図５】図５は端末に表示される動画撮影時のアシスト機能の一例を示す図である。
【図６】図６はメッセージ登録データベース２６に登録された内容の一例を示す図である。
【図７】図７は表示部１６に表示される映像の一例を示す図である。
【図８】図８は表示部１６に表示される映像の一例を示す図である。
【図９】図９は表示部１６に表示される映像の一例を示す図である。
【図１０】図１０は各参加者（ユーザ）の動画を演出して表示する一例を示した図である。
【図１１】図１１は各参加者（ユーザ）の動画を演出して表示する一例を示した図である。
【図１２】図１２は各参加者（ユーザ）の動画を演出して表示する一例を示した図である。
【図１３】図１３は各参加者（ユーザ）の動画を演出して表示する一例を示した図である。
【図１４】図１４は各参加者（ユーザ）の動画を演出して表示する一例を示した図である。
【図１５】図１５は端末に表示される動画撮影時のアシスト機能の一例を示す図である。
【図１６】図１６は本発明の第２の実施の形態におけるメッセージ演出システムの概略図である。
【図１７】図１７はメッセージ登録データベース２６に登録された内容の一例を示す図である。
【図１８】図１８はメッセージ登録データベース２６に登録された内容の一例を示す図である。
【図１９】図１９はメッセージ登録データベース２６に登録された内容の一例を示す図である。
【図２０】図２０は、ユーザのメッセージが採用されている場合に、テレビ１０４に表示される一例を示した図である。
【図２１】図２１は、ユーザのメッセージが表示された映像がテレビ１０４に表示される例を示したものである。
【発明を実施するための形態】
【０００９】
本発明の第１の実施の形態におけるメッセージ演出システムを説明する。
【００１０】
図１は、本発明の第１の実施の形態におけるメッセージ演出システムの概略図である。
【００１１】
第１の実施の形態におけるメッセージ演出システムは、メッセージ演出装置１と、メッセージ表示制御装置２と、スピーカ３とから構成される。
【００１２】
メッセージ演出装置１は、第１壁面１０から第４壁面１３、底面１４及び天面１５から構成され、第１壁面１０から第４壁面１３、底面１４及び天面１５に囲まれてひとつの部屋を構成している。
【００１３】
第１壁面１０は、液晶ディスプレイのような表示部１６が複数個設置されている。図２は第１壁面１０を示した図であり、図２の例では第１壁面１０には１６個の表示部が配置されている。但し、第１壁面１０の表示部の数は一例であり、この数に限らない。また、液晶ディスプレイだけでなく、投射型のプロジェクタを用いても良い。
【００１４】
また、第１壁面１０を除く第２〜第４壁面１１，１２，１３と、底面１４及び天面１５にはミラー加工が施されている。尚、第２壁面１１には、メッセージ演出装置１に入室するためのドアが設けられている。
【００１５】
尚、メッセージ演出装置１の壁面数であるが、かならずしも、全ての面が囲まれている必要はなく、例えば、天面のみ開放されていても良い。また、壁面数も４個以上、例えば、壁面が６個の６角形の形状であっても良く、これに限定されるものではない。
【００１６】
このような第１壁面１０から第４壁面１３、底面１４及び天面１５に囲まれた部屋であるメッセージ演出装置１において、第１壁面１０の表示部１６に映像が表示されると、第１壁面１０の表示部１６の映像が第１壁面１０を除く、第２〜第４壁面１１，１２，１３、底面１４及び天面１５の鏡に反射され、映像が幾重にも表示されて、メッセージ演出装置１の室内は奥行きのある幻想的な空間となる。
【００１７】
メッセージ演出装置１は、何らかのイベント会場に設置される。また、第１壁面１０の表示部１６に表示される映像は、そのイベントに関連する映像や、メッセージである。以下の説明では、メッセージ演出装置１は、七夕のイベント会場に設置されるものとし、メッセージがそのイベントに参加する参加者（ユーザ）の願い事である場合を説明する。
【００１８】
次に、メッセージ表示制御装置２について説明する。
【００１９】
図３は、メッセージ表示制御装置２のブロック図である。
【００２０】
メッセージ表示制御装置２は、プロセッサ２０、メモリ（ＲＯＭやＲＡＭ）２１、記憶装置（ハードディスク、半導体ディスクなど）２２、入力装置（キーボード、マウス、タッチパネルなど）２３、表示装置２４、通信装置２５、メッセージ登録データベース２６などのハードウェア資源を有する汎用のコンピュータにより構成することができる。尚、メッセージ登録データベース２６は、メッセージ表示制御装置２の筐体内にあっても良いし、ＬＡＮ等により接続されて外部に存在していても良い。
【００２１】
メッセージ表示制御装置２は、記憶装置２２に格納されたプログラムがメモリ２１にロードされ、プロセッサ２０により実行されることにより、メッセージ登録機能２０１、メッセージ表示制御機能２０２が実現されるものである。そして、メッセージ登録機能２０１はメッセージ登録手段として機能し、メッセージ表示制御機能２０２はメッセージ表示制御手段として機能する。
【００２２】
尚、メッセージ表示制御装置２は、一台のコンピュータにより構成してもよいし、複数台のコンピュータによる分散コンピューティングにより構成してもよい。また、処理の高速化のため、メッセージ表示制御装置２の機能の一部または全部を専用のハードウェア（例えばＧＰＵやＦＰＧＡ、ＡＳＩＣなど）を用いて実現することも可能である。
【００２３】
メッセージ登録機能２０１は、第１壁面１０の表示部１６に表示する、各参加者（ユーザ）のメッセージ(願い事)を、各参加者（ユーザ）から受け付けて、メッセージ登録データベース２６に登録する機能である。メッセージの登録の方法は、入力装置（キーボード、マウス、タッチパネルなど）２３により、各参加者（ユーザ）がメッセージを直接入力しても良いが、利便性を考慮すると各参加者（ユーザ）のスマートフォン等の携帯端末により、Web経由で登録することが好ましい。
【００２４】
Web経由でのメッセージの登録方法であるが、メッセージ登録機能により各参加者（ユーザ）専用の識別情報とURLとを含むQRコード（登録商標）を生成し、このQRコード（登録商標）を表示する。そして、各参加者（ユーザ）のスマートフォン等の携帯端末により、そのQRコード（登録商標）を撮影することにより、URLにアクセスに可能とする。各参加者（ユーザ）は、URLのWeb上から、ニックネーム及びメッセージを入力する。
【００２５】
更に、メッセージ登録機能２０１は、各参加者（ユーザ）のアクションの動画を撮影する機能も備える。動画撮影機能は、メッセージ表示制御装置２に接続されたカメラ機能が付いた端末４(タブレット等)で実現できる。このようにして、入力された各参加者（ユーザ）のニックネーム、メッセージ及び動画は、互いに関連付けられてメッセージ登録データベース２６に登録される。尚、端末４を用いた各参加者（ユーザ）の動画の撮影については後述する。
【００２６】
メッセージ表示制御機能２０２について説明する。
【００２７】
メッセージ表示制御機能２０２は、例えば、スピーカ３から流れる音楽に合わせて宇宙空間や天の川を演出した星などの演出映像を表示する。更に、メッセージ登録データベース２６に登録されている各参加者（ユーザ）のニックネーム及びメッセージを順次読み出して、表示部１６に表示する。全ての参加者（ユーザ）のニックネーム及びメッセージの表示が終了すると、各参加者（ユーザ）を撮影した動画を表示する。これらの表示の具体的な方法は後述する。
【００２８】
次に、具体例を用いながら、第１の実施の形態におけるメッセージ演出システムの動作を説明する。
【００２９】
まず、各参加者（ユーザ）は、メッセージ演出装置１で行われるイベントの受付場所に赴き参加の受け付けを行う。
【００３０】
参加の受け付けは、メッセージ演出装置１で表示される参加者の動画を撮影することから開始される。参加者の動画の撮影は、撮影される映像が参加者（ユーザ）に表示することができる端末を用いて行われる。例えば、撮影機能が付いた端末４(タブレット)を用いて行われる。撮影の際、端末４の表示画面には、図４に示す如く、動画撮影時に参加者（ユーザ）の手の動きをガイドするガイド機能が表示される。具体的に説明すると、端末４の表示部には下から上方向に移動方向を示すガイドライン（矢印）が表示され、その矢印に沿って下から上に、手の動きの速さを示すハンドマークが表示される。このハンドマークは、撮影開始とともに、一定の速度で下から上に移動する。
【００３１】
参加者（ユーザ）は、図５に示す如く、カメラで撮影されて端末４の表示部に映った自身の姿を見ながら、ハンドマークの移動速度に合わせて、ガイドライン上に沿って手を動かす。カメラはその参加者（ユーザ）の動画を撮影する。
【００３２】
動画の撮影が終了すると、Web経由でのメッセージの登録を行う。メッセージ登録機能２０１により各参加者（ユーザ）の識別情報(ユーザID)とURLと、そのユーザの動画の識別情報とを含むQRコード（登録商標）を生成し、このQRコード（登録商標）を表示する。そして、各参加者（ユーザ）のスマートフォン等の携帯端末により、そのQRコード（登録商標）を撮影することにより、URLにアクセスする。各参加者（ユーザ）は、URLのWeb上からニックネームとメッセージを入力する。例えば、ニックネーム「ＡＡＡ」、メッセージ「世界が平和でありますように」等を入力する。これにより、各参加者（ユーザ）のニックネームと、メッセージと、動画とが関連付けられて、メッセージ登録データベース２６に登録される。図６は、メッセージ登録データベース２６に登録された内容の一例を示すものである。図６の例では、ユーザIDと、ニックネームと、願い事(メッセージ)と、動画IDと、アドレスとが関連付けられて記憶されている。
【００３３】
続いて、各参加者（ユーザ）がメッセージ演出装置１に入室する。イベントの定刻になると、演出が開始される。本例では、表示部１６の数にあわせて、１６人が一組となって入室する。例えば、ユーザIDが”100”から”115”までの参加者（ユーザ）である。
【００３４】
参加者（ユーザ）の入室が完了し、イベントが開始されると、メッセージ表示制御機能２０２は表示部１６に演出映像の表示を開始する。例えば、図７に示すように、表示部１６には、音楽に合わせて宇宙空間や天の川を演出した星などが表示される。第１壁面１０の表示部１６に表示された演出映像は、ミラー加工された第２〜第４壁面１１，１２，１３と、底面１４及び天面１５で反射されながら表示され、メッセージ演出装置１の室内は無限の奥行きを持つような空間が表現される。
【００３５】
次に、メッセージ表示制御機能２０２は、メッセージ登録データベース２６に登録されている各参加者（ユーザ）のニックネーム及び願い事(メッセージ)を順次読み出して、表示部１６に表示する。各参加者（ユーザ）のニックネーム及び願い事(メッセージ)の表示順序であるが、ユーザIDの順に表示しても良いし、ランダムに選択しても良い。但し、各参加者（ユーザ）のニックネーム及び願い事(メッセージ)の表示回数、表示時間は、平等になるように表示する。
【００３６】
メッセージ表示制御機能２０２による各参加者（ユーザ）のニックネーム及び願い事(メッセージ)の表示であるが、これから自分の願い事(メッセージ)が表示されることを参加者（ユーザ）に注意喚起するために、例えば、図８のように、参加者（ユーザ）のニックネームが最初に表示される。そして、ニックネームの表示後、図９のように、その参加者（ユーザ）の願い事(メッセージ)が表示される。
【００３７】
メッセージ表示制御機能２０２は、上述した各参加者（ユーザ）のニックネーム及び願い事(メッセージ)が所定回数(例えば、３回)終了すると、受付時に撮影した各参加者（ユーザ）の動画を表示部１６に表示する。メッセージ表示制御機能２０２による動画の表示方法は、全ての参加者（ユーザ）の動画を同時に各表示部１６に表示するのではなく、時間差を設けて表示する制御を行う。
【００３８】
図１０を用いて具体的に説明すると、表示部１６毎に一人の参加者（ユーザ）の動画が割り当てられる。まず、最下段の表示部１６−１に一人の参加者（ユーザ）の動画が映し出される。この動画は上述したように、参加者（ユーザ）がハンドマークの移動速度に合わせて、ガイドライン上に沿って手を動かしながら撮影された動画である。
【００３９】
続いて、図１１に示すように、一人の参加者（ユーザ）の動画において、参加者（ユーザ）の手が最も上に達した時に、表示部１６−１の上の表示部１６−２に他の参加者（ユーザ）の動画の表示が開始される。すると、表示部１６−１に表示されている参加者（ユーザ）の手と表示部１６−２に表示されている参加者（ユーザ）の手とが接するように表示される。
【００４０】
更に、図１２に示すように、表示部１６−１に表示されている参加者（ユーザ）の動画は下部側からフェードアウトしていく。
【００４１】
続いて、図１３に示す如く、上述した図１１を用いて説明した動作を、表示部１６−２、表示部１６−３においても同様に行う。このような動作を表示部１６−４まで行うことにより、まるで、参加者（ユーザ）の願いを繋げて、天に届けるような表現形態をとることができる。
【００４２】
上述した参加者（ユーザ）の動画の表示方法は、一例であり、かならずしも、一列の表示部をグループにして行う必要が無く、例えば、図１４ように、同時に、複数の列の表示部で、参加者（ユーザ）の動画を表示しても良い。
【００４３】
尚、動画の撮影方法も、図４に示したものは一例にすぎず、他の例で合っても良い。例えば、図１５のように、手を動かすガイドラインを、円を描きながら上方向にガイドするガイドラインでも良い。
【００４４】
更に、参加者（ユーザ）が参加したメッセージ演出装置１内の様子を撮影し、その体験映像をサーバ上に登録し、そのアドレスを、イベント終了後に、各参加者（ユーザ）の通知するようにしても良い。このようにすることにより、参加者（ユーザ）は体験映像をストリーミング配信等で閲覧することができる。
【００４５】
第１の実施の形態によれば、参加者（ユーザ）のメッセージを、従来にはない演出表現で表示することができる。
【００４６】
<第２の実施の形態>
第２の実施の形態を説明する。
【００４７】
第２の実施の形態は、第１の実施の形態のメッセージ演出システムを放送に適用した場合を説明する。
【００４８】
図１６は、本発明の第２の実施の形態におけるメッセージ演出システムの概略図である。
【００４９】
図１６中、１００はユーザ端末、１０１はデータ放送部、１０２は放送部、１０３はカメラ、１０４はテレビである。尚、第１の実施の形態と同様な構成のものについては、同じ付号を付した。
【００５０】
第２の実施の形態では、メッセージ演出装置１がテレビ局のスタジオに設置される。メッセージ演出装置１に入室するのは、テレビ出演者である。そして、ユーザ(視聴者)のメッセージがメッセージ演出装置１の表示部１６に表示される。
【００５１】
ユーザのメッセージの登録方法であるが、第１の実施の形態と異なり、ネットワークを介して、ユーザの端末１００から登録を行う。尚、端末１００は、スマートフォンやタブレット等の端末である。
【００５２】
ユーザの端末１００からメッセージの登録処理を行う前に、事前準備として、ユーザを識別するユーザIDと、ユーザのテレビ１０４の識別情報とを関連付けるデータベースを作成する。テレビ１０４の識別情報としては、BcasIDがある。図１７に、メッセージ登録データベース２６の一例を示す。図１７の一例では、ユーザIDと、BcasIDと、メッセージと、採用可否と、放送時間とが関連付けられて登録される一例を示している。
【００５３】
メッセージ演出装置１を用いて行われるテレビ番組が行われる旨の告知に対し、ユーザがその番組中で自分のメッセージを表示してもらいたいと希望する場合、ユーザは端末１００を用いて、メッセージの登録を行う。
【００５４】
メッセージ表示制御装置２のメッセージ登録機能２０１は、端末１００からのメッセージを受け付け、そのユーザのユーザIDに関連付けて、メッセージをメッセージ登録データベース２６に登録する。図１８は、メッセージ登録データベース２６に、メッセージとユーザIDとが関連付けられて登録された状態を示している。
【００５５】
テレビ局は、一定の時間で受付を終了し、メッセージのコンプライアンスチェックを行い、採用可否を決定し、その可否をメッセージ登録データベース２６に登録する。また、採用したメッセージは、CG化し、その画像とメッセージを関連付けておく。また、そのメッセージの放送時間をメッセージ登録データベース２６に登録する。図１９は、メッセージ登録データベース２６に、メッセージと、ユーザIDと、メッセージと、採用可否と、放送時間とが互いに関連付けられて登録された状態を示している。
【００５６】
テレビ番組の放送が開始されると、データ放送部１０１は、メッセージ登録データベース２６から採用可否、放送時間、Bcas-IDを送信する。また、カメラ１０３により、メッセージ演出装置１の内部が撮影され、その映像は放送部１０２により、放送される。
【００５７】
テレビ１０４では、テレビ番組が選局され、データ放送を受信すると、自己のテレビ１０４を識別するBcas-IDに付与されている採用可否、放送時間等を表示する。図２０は、ユーザのメッセージが採用されている場合に、テレビ１０４に表示される一例を示した図である。
【００５８】
更に、採用されたメッセージについては、放送時間までのカウントダウンが表示される。そして、採用されたメッセージの表示時間になると、表示部１６にそのユーザのメッセージが表示される。図２１は、ユーザのメッセージが表示された映像がテレビ１０４に表示される例を示したものである。
【００５９】
第２の実施の形態では、第１の実施の形態に加えて、自分のメッセージの採用可否が予め解ってしまったり、いつ放送されるのかが不明だと、その番組を視聴する興味が薄れてしまうという問題点を解決し、自分のメッセージの採用可否や、そのメッセージの放送が番組の放送時に分かるように構成したので、ユーザの番組視聴への興味を維持することができる。
【符号の説明】
【００６０】
１      メッセージ演出装置
２      メッセージ表示制御装置
３      スピーカ
１０    第１壁面
１１    第２壁面
１２    第３壁面
１３    第４壁面
１４    底面
１５    天面
２０    プロセッサ
２１    メモリ
２２    記憶装置
２３    入力装置
２４    表示装置
２５    通信装置
２６    メッセージ登録データベース
２０１  メッセージ登録機能
２０２  メッセージ登録機能
【図１】
2019003455.tif 000003
【図２】
2019003455.tif 000004
【図３】
2019003455.tif 000005
【図４】
2019003455.tif 000006
【図５】
2019003455.tif 000007
【図６】
2019003455.tif 000008
【図７】
2019003455.tif 000009
【図８】
2019003455.tif 000010
【図９】
2019003455.tif 000011
【図１０】
2019003455.tif 000012
【図１１】
2019003455.tif 000013
【図１２】
2019003455.tif 000014
【図１３】
2019003455.tif 000015
【図１４】
2019003455.tif 000016
【図１５】
2019003455.tif 000017
【図１６】
2019003455.tif 000018
【図１７】
2019003455.tif 000019
【図１８】
2019003455.tif 000020
【図１９】
2019003455.tif 000021
【図２０】
2019003455.tif 000022
【図２１】
2019003455.tif 000023